(57)【特許請求の範囲】
【請求項１】
複数の原反ロールから繰り出される各原紙を重ねた複層の原紙を、巻き取り用原紙として送り出す巻き取り用原紙送り出し部と、
前記巻き取り用原紙送り出し部から送り出された巻き取り用原紙に対して予め定めた加工処理を行うと共に、巻き取り用原紙を所定の長さに巻き取って１プライまたはマルチプライのログロールとする加工・巻き取り部と、
を備えるログロール製造装置において、
前記加工・巻き取り部は、ログロールの製造時に優先的に使用する主加工・巻き取り部のほかに、１または複数の副加工・巻き取り部を備え、
前記巻き取り用原紙送り出し部と加工・巻き取り部との間には、
複層の原紙からなる巻き取り用原紙を単層の分離巻き取り用原紙および／または複層の分離巻き取り用原紙に分離させる原紙分離部と、
前記原紙分離部にて分離された単層あるいは複層の分離巻き取り用原紙を、主加工・巻き取り部と、１または複数の副加工・巻き取り部へ別々に誘導する原紙誘導部と、
を設けたことを特徴とするログロール製造装置。
【請求項２】
前記原紙分離部には、複層の原紙からなる巻き取り用原紙の剥離を促す剥離促進手段を設けたことを特徴とする請求項１に記載のログロール製造装置。
【請求項３】
前記巻き取り用原紙送り部が扱える原反ロールの数と、前記加工・巻き取り部の設置数とが同数になるようにし、
全ての原反ロールから繰り出す原紙を重ねた複層の巻き取り用原紙を、前記原紙分離部で全て単層の分離巻き取り用原紙に分離し、前記原紙誘導部にてそれぞれ主加工・巻き取り部および全ての副加工・巻き取り部へ誘導することで、主加工・巻き取り部および副加工・巻き取り部の全てを用いて１プライのログロールを同時に製造するようにしたことを特徴とする請求項１又は請求項２に記載のログロール製造装置。
【請求項４】
前記巻き取り用原紙送り出し部が扱える原反ロールの数を、前記加工・巻き取り部の設置数よりも多くし、
全ての原反ロールから繰り出す原紙を重ねた複層の巻き取り用原紙を、前記原紙分離部にて複層の分離巻き取り用原紙を含むように分離し、前記原紙誘導部にて少なくとも複層の分離巻き取り用原紙を主加工・巻き取り部へ誘導し、他の単層および／または複層に分離された分離巻き取り用原紙をそれぞれ副加工・巻き取り部の何れかへ誘導することで、主加工・巻き取り部でマルチプライのログロールを、他の副加工・巻き取り部で１プライのログロールおよび／またはマルチプライのログロールを、同時に製造するようにしたことを特徴とする請求項１又は請求項２に記載のログロール製造装置。
【発明の詳細な説明】
【技術分野】
【０００１】
本発明は、トイレットペーパーやキッチンロールペーパーなどにする長尺な原紙を所定長さに巻き取ったログロールを製造するログロール製造装置に関する。
【背景技術】
【０００２】
従来、水溶性の原紙をロール状に巻回したログロールを所要幅に切断したトイレットペーパーとして、１プライの製品（いわゆるシングルロール）や２プライの製品（いわゆるダブルロール）が市場に供給されている。シングルロールのためのログロールとダブルロールのためのログロールは、同じワインダー（ログロール製造装置）を使い分けることによって製造できる。キッチンロールペーパー等のログロール製造も同様である。【０００３】
例えば、トイレットペーパーにする１プライのログロールを製造する場合は、トイレットペーパー用原紙が大径に巻回された１つの原反ロールより送り出される単層の長尺原紙に対して、エンボス加工やミシン目線の形成加工等を施した後、長尺芯管の外周面に製品長さ分（例えば、６０ｍ）だけ巻き取り、終端部を接着固定する（例えば、特許文献１の実施例１を参照）。また、２プライのログロールを製造する場合は、トイレットペーパー用原紙が大径に巻回された２つの原反ロールよりそれぞれ送り出される単層の長尺原紙を積層した２層長尺原紙に対して、エンボス加工やミシン目線形成加工等を施した後、長尺芯管の外周面に製品長さ分（例えば、３０ｍ）だけ巻き取り、終端部を接着固定する（例えば、特許文献１の実施例２を参照）。
【先行技術文献】
【特許文献】
【０００４】
【特許文献１】特開２０１１−１０４１８４号公報
【発明の概要】
【発明が解決しようとする課題】
【０００５】
しかしながら、特許文献１に記載されているトイレットペーパー製造用のワインダーで１プライのログロールを製造する場合、その巻き取る製品長さが２プライ製品のおよそ２倍必要であることから、１プライ製品は２プライ製品に比べて生産効率が悪くなってしまう。しかも、特許文献１に記載されているトイレットペーパー製造用のワインダーには、同時に２つの原反ロールから原紙を繰り出して使えるよう、２つの原紙繰り出し機が予め備わっているにもかかわらず、１プライのログロールを製造する場合には１つの原紙繰り出し機しか使わないため、余った原紙繰り出し機を有効に使うことができず、非効率である。【０００６】
そこで、本発明は、複数の原反ロールを用いてマルチプライのログロールを製造可能なログロール製造装置で、効率良くログロールを製造できるようにすることを目的とする。
【課題を解決するための手段】
【０００７】
上記の課題を解決するために、請求項１に係る発明は、複数の原反ロールから繰り出される各原紙を重ねた複層の原紙を、巻き取り用原紙として送り出す巻き取り用原紙送り出し部と、前記巻き取り用原紙送り出し部から送り出された巻き取り用原紙に対して予め定めた加工処理を行うと共に、巻き取り用原紙を所定の長さに巻き取って１プライまたはマルチプライのログロールとする加工・巻き取り部と、を備えるログロール製造装置において、前記加工・巻き取り部は、ログロールの製造時に優先的に使用する主加工・巻き取り部のほかに、１または複数の副加工・巻き取り部を備え、前記巻き取り用原紙送り出し部と加工・巻き取り部との間には、複層の原紙からなる巻き取り用原紙を単層の分離巻き取り用原紙および／または複層の分離巻き取り用原紙に分離させる原紙分離部と、前記原紙分離部にて分離された単層あるいは複層の分離巻き取り用原紙を、主加工・巻き取り部と、１または複数の副加工・巻き取り部へ別々に誘導する原紙誘導部と、を設けたことを特徴とする。
【０００８】
また、請求項２に係る発明は、前記請求項１に記載のログロール製造装置において、前記原紙分離部には、複層の原紙からなる巻き取り用原紙の剥離を促す剥離促進手段を設けたことを特徴とする。【０００９】
また、請求項３に係る発明は、前記請求項１又は請求項２に記載のログロール製造装置において、前記巻き取り用原紙送り出し部が扱える原反ロールの数と、前記加工・巻き取り部の設置数とが同数になるようにし、全ての原反ロールから繰り出す原紙を重ねた複層の巻き取り用原紙を、前記原紙分離部で全て単層の分離巻き取り用原紙に分離し、前記原紙誘導部にてそれぞれ主加工・巻き取り部および全ての副加工・巻き取り部へ誘導することで、主加工・巻き取り部および副加工・巻き取り部の全てを用いて１プライのログロールを同時に製造するようにしたことを特徴とする。【００１０】
また、請求項４に係る発明は、前記請求項１又は請求項２に記載のログロール製造装置において、前記巻き取り用原紙送り出し部が扱える原反ロールの数を、前記加工・巻き取り部の設置数よりも多くし、全ての原反ロールから繰り出す原紙を重ねた複層の巻き取り用原紙を、前記原紙分離部にて複層の分離巻き取り用原紙を含むように分離し、前記原紙誘導部にて少なくとも複層の分離巻き取り用原紙を主加工・巻き取り部へ誘導し、他の単層および／または複層に分離された分離巻き取り用原紙をそれぞれ副加工・巻き取り部の何れかへ誘導することで、主加工・巻き取り部でマルチプライのログロールを、他の副加工・巻き取り部で１プライのログロールおよび／またはマルチプライのログロールを、同時に製造するようにしたことを特徴とする。
【発明の効果】
【００１１】
本発明に係るログロール製造装置によれば、ログロールの製造時に優先的に使用する主加工・巻き取り部のほかに、１または複数の副加工・巻き取り部を備えると共に、巻き取り用原紙送り出し部と加工・巻き取り部との間には原紙分離部と原紙誘導部とを設けたので、原反ロールをフルに使わないで、主加工・巻き取り部で１プライあるいはマルチプライのログロールを製造する場合には、余剰分の原反ロールを使って副加工・巻き取り部で１プライあるいはマルチプライのログロールを製造でき、ログロール製造装置における生産効率の低下を抑制できる。
【図面の簡単な説明】
【００１２】
【図１】本発明に係るログロール製造装置の第１実施形態を示し、（ａ）は２プライのログロールを製造する場合を示す概略構成図、（ｂ）は１プライのログロールを主加工・巻き取り部および副加工・巻き取り部で同時に製造する場合を示す概略構成図である。
【図２】本発明に係るログロール製造装置の第２実施形態を示し、２プライのログロールを主加工・巻き取り部で、１プライのログロールを副加工・巻き取り部で、同時に製造する場合を示す概略構成図である。
【発明を実施するための形態】
【００１３】
以下、本発明に係るログロール製造装置の実施形態を添付図面に基づいて詳細に説明する。
【００１４】
図１に示すのは、ログロール製造装置の第１実施形態に係るワインダー１であり、例えば、大径の第１原反ロール１０Ａと第２原反ロール１０Ｂからそれぞれ原紙を繰り出す原紙繰り出し部２０を備える。水溶性の原紙を巻回した原反ロールを用いればトイレットペーパー用のログロールを製造することができ、吸水性の高い原紙を巻回した原反ロールを用いればキッチンロールペーパー用のログロールを製造することができる。なお、本実施形態のワインダー１における原紙繰り出し部２０は、第１，第２原反ロール１０Ａ，１０Ｂの２つを扱えるので、２プライのログロールを製造可能であるが、３つ以上の原反ロールを扱えるように構成すれば、３プライ以上のログロールを製造することも可能である。
【００１５】
第１原反ロール１０Ａは、原紙繰り出し機（図示省略）にセットされて任意の方向へ任意の速度で回転させることができ、第１原反ロール１０Ａから繰り出された第１原紙１１ａは、例えば、ガイドローラ３１ａ，３１ｂ，３１ｃを介して巻き取り用原紙送り出し部４０へ導かれる。第２原反ロール１０Ｂも同様に、原紙繰り出し機（図示省略）にセットされて任意の方向へ任意の速度で回転させることができ、第２原反ロール１０Ｂから繰り出された第２原紙１１ｂは、例えば、ガイドローラ３２ａを介して巻き取り用原紙送り出し部４０へ導かれる。このとき、第１原紙１１ａと第２原紙１１ｂの繰り出し速度がほぼ一致するように、第１，第２原反ロール１０Ａ，１０Ｂの各原紙繰り出し機の回転速度を制御する。
【００１６】
上記のようにして、原紙繰り出し部２０から繰り出された第１原紙１１ａと第２原紙１１ｂは、巻き取り用原紙送り出し部４０のガイドローラ３３ａを介して重ねられ、２層の巻き取り用原紙１２となり、例えば、ガイドローラ３３ｂ，３３ｃ，３３ｄ，３３ｅを介して送り出され、主加工・巻き取り部５０Ａに供給される。このとき、第１原紙１１ａの表面（第１原反ロール１０Ａの外に現れる面）と第２原紙１１ｂの表面（第２原反ロール１０Ｂの外に現れる面）が、それぞれ巻き取り用原紙１２における外側の２面となるように重ねることが望ましい。
【００１７】
主加工・巻き取り部５０Ａには、例えば、エンボス加工手段５１とミシン目形成手段５２を備え、巻き取り用原紙１２に対してエンボス加工とミシン目線の形成加工等を施すことができる。その後、巻き取り手段５３にて、長尺芯管の外周面に巻き取り用原紙１２を製品長さ分（例えば、３０ｍ）だけ巻き取り、終端部を接着固定することで２プライのログロール６２が形成される。なお、主加工・巻き取り部５０Ａに設ける加工機能は特に限定されず、消臭剤や芳香剤を付与する機能を更に設けても良いし、これらの加工処理を一切行わないようにしても良い。また、巻き取り手段５３は芯無しのログロールを作れるものであっても良い。
【００１８】
上記のようにしてログロールを製造するワインダー１の主加工・巻き取り部５０Ａに対応させて、主アキュームレータ２Ａを設けてあり、主加工・巻き取り部５０Ａから排出されるログロール（例えば、２プライのログロール６２）は、主アキュームレータ２Ａの受入アーム部２０１により受け入れられて内部に貯蔵され、適宜なタイミングで供給アーム部２０２から搬送路３へ供給される。搬送路３へ供給されたログロールは、図示を省略したログカッターにより製品幅にカットされ、所定個数宛て梱包処理される。
【００１９】
しかして、本実施形態に係るワインダー１は、主加工・巻き取り部５０Ａとは別途に副加工・巻き取り部５０Ｂを備える。副加工・巻き取り部５０Ｂも、エンボス加工手段５１、ミシン目形成手段５２および巻き取り手段５３を備え、巻き取り用原紙１２が導入されれば、２プライのログロール６２を製造できる機能を有する。そして、この副加工・巻き取り部５０Ｂに対応させて、副アキュームレータ２Ｂを設けてあり、副加工・巻き取り部５０Ｂから排出されるログロールは、副アキュームレータ２Ｂの受入アーム部２０１により受け入れられて内部に貯蔵され、適宜なタイミングで供給アーム部２０２から搬送路３へ供給される。
【００２０】
このように、主加工・巻き取り部５０Ａと副加工・巻き取り部５０Ｂは同等機能を備えているので、一方が他方の機能を代替できるが、便宜上、上述した主加工・巻き取り部５０Ａを、ログロールの製造時に優先的に使用するものとし、図１（ａ）に示すように、第１，第２原反ロール１０Ａ，１０Ｂから繰り出された第１，第２原紙１１ａ，１１ｂを重ねて２プライのログロール６２を製造する場合、主加工・巻き取り部５０Ａのみを用い、副加工・巻き取り部５０Ｂは使用しない。また、以下では、主加工・巻き取り部５０Ａと副加工・巻き取り部５０Ｂを区別しない場合、単に加工・巻き取り部５０という。
【００２１】
さらに、本実施形態に係るワインダー１は、巻き取り用原紙送り出し部４０と加工・巻き取り部５０との間に、原紙分離部７０を設けてあり、第１、第２原紙１１ａ，１１ｂから成る２層の巻き取り用原紙１２を、単層の第１分離巻き取り用原紙１２ａと第２分離巻き取り用原紙１２ｂに分離させることができる。具体的には、導入ガイドローラ３４ａに導かれた巻き取り用原紙１２の下層紙（第１原紙１１ａ）を第１分離ガイドローラ３４ｂに掛け、巻き取り用原紙１２の上層紙（第２原紙１１ｂ）を第２分離ガイドローラ３４ｃに掛けることで、第１分離ガイドローラ３４ｂ側に誘導される第１分離巻き取り用原紙１２ａと、第２分離ガイドローラ３４ｃ側に誘導される第２分離巻き取り用原紙１２ｂとに分離できる。
【００２２】
上記のように、導入ガイドローラ３４ａに対して、第１分離ガイドローラ３４ｂによる第１分離巻き取り用原紙１２ａの誘導方向と、第２分離ガイドローラ３４ｃによる第２分離巻き取り用原紙１２ｂの誘導方向を異ならせておき、それぞれの誘導方向へ第１，第２分離巻き取り用原紙１２ａ，１２ｂを同速度でたぐり寄せると、自ずと２層の巻き取り用原紙１２は単層紙に分離するものの、長尺な巻き取り用原紙１２の幅方向で分離斑が生じてしまった場合、巻き乱れや捩れといった不具合が発生する可能性がある。そこで、原紙分離部７０には、巻き取り用原紙１２の剥離を促す剥離促進手段７１を設けるものとした。
【００２３】
この剥離促進手段７１として、例えば、断面楔形状の剥離ブレードを導入ガイドローラ３４ａに近接させて設けておけば、巻き取り用原紙１２の積層部が剥離ブレードに押し当たることで、上層と下層に剥離することを促し、第１，第２分離巻き取り用原紙１２ａ，１２ｂに分離することができる。しかしながら、剥離ブレードが巻き取り用原紙１２に直接接触すると、紙面が荒れて触感を損なう可能性がある。そこで、剥離促進手段７１の他の構成例として、例えば、巻き取り用原紙１２の積層部に向けてエアを吐出できるよう、エアノズルを巻き取り用原紙１２の幅方向に所定間隔で複数配置しておき、送風管から所定圧のエアをエアノズルへ送るようにしても良い。斯くすれば、巻き取り用原紙１２の積層部にエアノズルからの風圧がかかるので、巻き取り用原紙１２が上層と下層に剥離することを促し、且つ、紙面を荒らすこと無く第１，第２分離巻き取り用原紙１２ａ，１２ｂに分離することができる。しかも、巻き取り用原紙１２が第１，第２分離巻き取り用原紙１２ａ，１２ｂに分離するときに剥がれた繊維片をエアノズルからの風圧で飛ばして除去できるという効果もある。
【００２４】
上記原紙分離部７０にて巻き取り用原紙１２から分離された第１分離巻き取り用原紙１２ａは、主加工・巻き取り部５０Ａへ誘導される。なお、原紙分離部７０は主加工・巻き取り部５０Ａの近傍に配置したので、導入ガイドローラ３４ａから第１分離ガイドローラ３４ｂに誘導されることで、第１分離巻き取り用原紙１２ａは主加工・巻き取り部５０Ａに導入される。よって、原紙分離部７０にて分離された第１分離巻き取り用原紙１２ａを主加工・巻き取り部５０Ａへ誘導する第１原紙誘導部を別途設ける必要は無い。
【００２５】
一方、上記原紙分離部７０にて巻き取り用原紙１２から分離された第２分離巻き取り用原紙１２ｂは、第２分離ガイドローラ３４ｃから誘導ガイドローラ３５ａ，３５ｂを介して副加工・巻き取り部５０Ｂへ誘導される。すなわち、誘導ガイドローラ３５ａ，３５ｂは、原紙分離部７０にて分離された第２分離巻き取り用原紙１２ｂを副加工・巻き取り部５０Ｂへ誘導する第２原紙誘導部として機能する。
【００２６】
上記のように構成したワインダー１において、１プライのログロール６１を製造する場合、第１原反ロール１０Ａより繰り出される第１原紙１１ａだけを主加工・巻き取り部５０Ａへ導入すれば良いが、より効率良く１プライのログロール６１を製造するために、第２原反ロール１０Ｂより繰り出される第２原紙１１ｂと副加工・巻き取り部５０Ｂを同時に用いることができる。
【００２７】
すなわち、図１（ｂ）に示すように、第１，第２原反ロール１０Ａ，１０Ｂから繰り出された第１，第２原紙１１ａ，１２ｂが巻き取り用原紙送り出し部４０にて積層された送り出し用原紙１２を、原紙分離部７０にて単層の第１分離巻き取り用原紙１２ａと第２分離巻き取り用原紙１２ｂに分離し、第１分離巻き取り用原紙１２ａは第１原紙誘導部を介して主加工・巻き取り部５０Ａに導入されて１プライのログロール６１が製造され、同時に、第２分離巻き取り用原紙１２ｂは第２原紙誘導部を介して副加工・巻き取り部５０Ｂに導入されて１プライのログロール６１が製造される。
【００２８】
このように、本実施形態に係るワインダー１によれば、主加工・巻き取り部５０Ａにて１プライのログロールを製造するとき、同時に副加工・巻き取り部５０Ｂにて１プライのログロールを製造できるので、ログロールの製造効率を２倍に高めることができる。加えて、主加工・巻き取り部５０Ａが故障や保守などで使用できない場合でも、副加工・巻き取り部５０Ｂが動作可能であれば、副加工・巻き取り部５０Ｂによって１プライもしくは２プライのログロールを製造できるので、主加工・巻き取り部５０Ａの使用不能時にワインダー１を止める必要が無い。すなわち、主加工・巻き取り部５０Ａのバックアップ機能として副加工・巻き取り部５０Ｂを使えば、ワインダー１の稼働率を低下させずに済むので、ログロールの製造効率向上に寄与できる。
【００２９】
なお、主加工・巻き取り部５０Ａと副加工巻き取り部５０Ｂは、必ずしも同等機能である必要は無く、メインとなる主加工・巻き取り部５０Ａよりも加工機能や巻き取り機能が劣ったものを副加工・巻き取り部５０Ｂとして用いても良い。また、主加工・巻き取り部５０Ａにてログロールを製造する速度と、副加工・巻き取り部５０Ｂにてログロールを製造する速度が同じであれば、主アキュームレータ２Ａに貯まるログロールの個数と副アキュームレータ２Ｂに貯まるログロールの個数が同じになるので、主アキュームレータ２Ａと副アキュームレータ２Ｂから交互に搬送路３へログロールを供給するようにしておけば、主アキュームレータ２Ａと副アキュームレータ２Ｂのログロール貯留残数に不均衡が生じないように調整できる。逆に、主加工・巻き取り部５０Ａにてログロールを製造する速度と、副加工・巻き取り部５０Ｂにてログロールを製造する速度が異なる場合は、ログロール製造速度の速い加工・巻き取り部５０に対応するアキュームレータ２から優先的にログロールを搬送路３へ供給させれば良い。
【００３０】
また、３プライのログロールを製造できるログロール製造装置であれば、３つの原反ロールを扱うことができるので、主加工・巻き取り部のほかに、第１副加工・巻き取り部と第２副加工・巻き取り部を設け、原紙分離部で第１〜第３分離巻き取り用原紙に分離し、第１原紙誘導路を介して第１分離巻き取り用原紙を主加工・巻き取り部へ導入し、第２原紙誘導路を介して第２分離巻き取り用原紙を第１副加工・巻き取り部へ導入し、第３原紙誘導路を介して第３分離巻き取り用原紙を第２副加工・巻き取り部へ導入すれば、主加工・巻き取り部と第１，第２副加工・巻き取り部によって、１プライのログロールを同時に３本製造できる。すなわち、原反ロールの数と加工・巻き取り部の設置数とが同数になるようにログロール製造装置を構成しておけば、原反ロールの数だけ１プライのログロールを同時に製造できるので、飛躍的に製造効率を上げることができる。
【００３１】
しかしながら、取り扱える原反ロールの数に応じて、副加工・巻き取り部の設置数を増やすと、それだけ広域の製造ラインを組まなければならないので、工場の広さから自ずと限界がある。そこで、加工・巻き取り部の設置数より原反ロールの数が多くても効率的にログロールを製造できるログロール製造装置の第２実施形態として、ワインダー１′を図２に示す。なお、図１のワインダー１と同一機能については同一符号を付して説明を省略する。
【００３２】
ワインダー１′は、第１，第２原反ロール１０Ａ，１０Ｂに加えて第３原反ロール１０Ｃからガイドローラ３６ａを介して第３原紙１１ｃを繰り出せる原紙繰り出し部２０′を備える。これら第１〜第３原反ロール１０Ａ〜１０Ｃから繰り出された第１〜第３原紙１１ａ〜１１ｃは、巻き取り用原紙送り出し部４０にて積層され、３層の巻き取り用原紙１２としてそのまま主加工・巻き取り部５０Ａに供給されると、主加工・巻き取り部５０Ａにて３プライのログロールが製造される。このとき、第１〜第３原反ロール１０Ａ〜１０Ｃがフルに利用されているので、副加工・巻き取り部５０Ｂは使用しない。
【００３３】
しかしながら、主加工・巻き取り部５０Ａにて２プライのログロールを製造する場合には、第１，第２原反ロール１０Ａ，１０Ｂから繰り出される第１，第２原紙１１ａ，１１ｂを積層した２層の巻き取り用原紙１２を主加工・巻き取り部５０Ａに供給すれば良いのであるが、第３原反ロール１０Ｃが空くこととなる。そこで、第１〜第３原反ロール１０Ａ〜１０Ｃから繰り出された第１〜第３原紙１１ａ〜１１ｃを巻き取り用原紙送り出し部４０にて３層の巻き取り用原紙１２とし、原紙分離部７０にて２層の第１分離巻き取り用原紙１２ａ（第１原紙１１ａと第２原紙１１ｂを積層した巻き取り用原紙）と１層の第２分離巻き取り用原紙１２ｂ（第３原紙１１ｃのみからなる単層の巻き取り用原紙）とに分離し、第１分離巻き取り用原紙１２ａを主加工・巻き取り部５０Ａに供給して２プライのログロール６２を製造すると同時に、第２分離巻き取り用原紙１２ｂを副加工・巻き取り部５０Ｂに供給して１プライのログロール６１を製造する。
【００３４】
このワインダー１′のように、扱える原反ロールの数（第１〜第３原反ロール１０Ａ〜１０Ｃの３つ）が、加工・巻き取り部５０の設置数（主加工・巻き取り部５０Ａと副加工巻き取り部５０Ｂの２つ）よりも多い場合、第１〜第３原反ロール１０Ａ〜１０Ｃの全てから繰り出す第１〜第３原紙１１ａ〜１１ｃを重ねた３層の巻き取り用原紙１２を、原紙分離部７０にて、複層の分離巻き取り用原紙を含むように、２層の第１分離巻き取り用原紙１２ａと単層の第２分離巻き取り用原紙１２ｂとに分離し、第１原紙誘導部にて第１分離巻き取り用原紙１２ａを主加工・巻き取り部５０Ａへ誘導し、残った単層の第２分離巻き取り用原紙１２ｂを第２原紙誘導部にて副加工・巻き取り部５０Ｂへ誘導することで、主加工・巻き取り部５０Ａで２プライのログロール６２を、副加工・巻き取り部５０Ｂで１プライのログロール６１を、同時に製造すれば、全ての原反ロールと全ての加工・巻き取り部を有効に使って製造効率を高めることができる。
【００３５】
また、４プライのログロールを製造できるログロール製造装置が、２つの加工・巻き取り部を備えている場合、原紙分離部にて２層の第１分離巻き取り用原紙と２層の第２分離巻き取り用原紙とに分離し、主加工・巻き取り部で２プライのログロールを、副加工・巻き取り部でも２プライのログロールを同時に製造すれば、全ての原反ロールと全ての加工・巻き取り部を有効に使って製造効率を高めることができる。或いは、４プライのログロールを製造できるログロール製造装置が、３つの加工・巻き取り部を備えている場合、原紙分離部にて２層の第１分離巻き取り用原紙と単層の第２分離巻き取り用原紙と単層の第３分離巻き取り用原紙とに分離し、主加工・巻き取り部で２プライのログロールを、第１副加工・巻き取り部で１プライのログロールを、第２副加工・巻き取り部で１プライのログロールを同時に製造すれば、全ての原反ロールと全ての加工・巻き取り部を有効に使って製造効率を高めることができる。
【００３６】
この第２実施形態に係るワインダー１′のように、扱える原反ロールの数が加工・巻き取り部の設置数より多いログロール製造装置であっても、全ての原反ロールと全ての加工・巻き取り部を有効に使って、１プライもしくはマルチプライのログロールを同時に製造するように割り振れば、原反ロールあるいは加工・巻き取り部が使われずに無駄となることを抑制し、ログロールの製造効率を高めることができる。
【００３７】
以上、本発明に係るログロール製造装置について、いくつかの実施形態を添付図面に基づいて説明したが、本発明は、これらの実施形態に限定されるものではなく、特許請求の範囲に記載の構成を変更しない範囲で、公知既存の等価な技術手段を転用することにより実施しても構わない。
【符号の説明】
【００３８】
１      ログロール製造装置（第１実施形態）
１０Ａ  第１原反ロール
１０Ｂ  第２原反ロール
１１ａ  第１原紙
１１ｂ  第２原紙
１２    巻き取り用原紙
１２ａ  第１分離巻き取り用原紙
１２ｂ  第２分離巻き取り用原紙
４０    巻き取り用原紙送り出し部
５０Ａ  主加工・巻き取り部
５０Ｂ  副加工・巻き取り部
６１    １プライのログロール
６２    ２プライのログロール
７０    原紙分離部
【要約】
複数の原反ロールを用いてマルチプライのログロールを製造可能なログロール製造装置で、効率良くログロールを製造できるようにする。
第１，第２原反ロール１０Ａ，１０Ｂから繰り出される第１，第２原紙１１ａ，１１ｂを積層した巻き取り用原紙１２を主加工・巻き取り部５０Ａに供給すると、２プライのログロール６２を製造できるワインダー１は、副加工・巻き取り部５０Ｂを備えており、主加工・巻き取り部５０Ａで１プライのログロール６１を製造する場合には、第１，第２原紙１１ａ，１１ｂを積層した巻き取り用原紙１２を原紙分離部７０で第１分離巻き取り用原紙１２ａと第２分離巻き取り用原紙１２ｂに分離し、第１分離巻き取り用原紙１２ａを供給する主加工・巻き取り部５０Ａと、第２分離巻き取り用原紙１２ｂを供給する副加工・巻き取り部５０Ｂとで、１プライのログロール６１を同時に製造する。【図１】
0006517428.tif 000002
【図２】
0006517428.tif 000003